(57)【特許請求の範囲】
【請求項１】
筒状で一端開口部が呼気吹き込み部、他端開口部が機器装着部となった本体ケースと、
前記本体ケース内に装着されたフィルターと、
を備え、
前記本体ケース内の呼気吹き込み部側には、吹き込み空気を前記本体ケース内に分散させる第１の分岐リブが設けられており、
前記フィルターは、前記第１の分岐リブに当接した状態で配置され、
前記フィルターの前記機器装着部側の前記本体ケース内面側には、前記フィルターの脱落防止用突起が形成されており、
前記本体ケースの呼気吹き込み部側には、積み重ね用突部が形成されており、前記本体ケースの機器装着部側には、積み重ね用突部嵌合部が形成されており、前記積み重ね用突部の外径よりも前記積み重ね用突部嵌合部の内径が大きいとともに、
前記フィルターの外径は、前記本体ケースの内径よりも大きく、
前記本体ケース内の前記第１の分岐リブと前記脱落防止用突起との間隔は、前記フィルターの厚みよりも大きい、
マウスピース。
【請求項２】
請求項１に記載のマウスピースと、
前記マウスピースを装着する呼気吹き込み体と、
を備え、
前記呼気吹き込み体は、前記マウスピースの機器装着部が嵌合されるマウスピース装着部と、前記マウスピース装着部の内方において設けられた第２の分岐リブと、前記第２の分岐リブの中心部分に設けられた呼気吹き込み孔と、
を有する呼気測定装置。
【発明の詳細な説明】
【技術分野】
【０００１】
本発明は、例えば、喘息検出、肺機能検出などを行う際に使用するマウスピースとそれを備えた呼気測定装置に関するものである。
【背景技術】
【０００２】
従来のこの種、マウスピースは、筒状で一端開口部がとなった本体ケースと、この本体ケース内に装着されたフィルターと、このフィルターの本体ケースとは、反対側に設けた蓋体とを備えた構成となっていた。
【０００３】
即ち、本体ケース内に設けたフィルターが、この本体ケース内から脱落するのを防止するために、蓋体を設けた構成となっていたのである（例えば、特許文献１参照）。
【先行技術文献】
【特許文献】
【０００４】
【特許文献１】実用新案登録第３１６４４０６号公報
【発明の概要】
【発明が解決しようとする課題】
【０００５】
上記、従来例においては、本体ケースのフィルターとは反対側に、このフィルターの脱落を防止するための蓋体を設けていたので、フィルターの脱落を防止することはできる。しかしながら、このような構成とした場合、マウスピースは１ずつ梱包し、搬送されることとなってしまい、結論として、搬送性の悪いものとなってしまう。
【０００６】
そこで、本発明は、搬送性を高めることを目的とするものである。
【課題を解決するための手段】
【０００７】
そして、この目的を達成するために本発明は、筒状で一端開口部が呼気吹き込み部、他端開口部が機器装着部となった本体ケースと、この本体ケース内に装着されたフィルターとを備え、前記本体ケース内の呼気吹き込み部側には、吹き込み空気をこの本体ケース内に分散させる第一の分岐リブを設け、前記フィルターは、この第一の分岐リブに当接した状態で配置され、このフィルターの前記機器装着部側の本体ケース内面側には、前記フィルターの脱落防止用突起を形成し、前記本体ケースの呼気吹き込み部側には、積み重ね用突部を形成し、前記本体ケースの機器装着部側には、積み重ね用突部嵌合部を形成し、前記積み重ね用突部の外径よりも前記積み重ね用突部嵌合部の内径を大きくし、かつフィルターの外径は、本体ケースの内径よりも大きく、本体ケース内の第１の分岐リブと脱落防止用突起との間隔は、フィルターの厚みよりも大きい。これにより、所期の目的を達成するものである。
【発明の効果】
【０００８】
以上のごとく、本発明のマウスピースは、筒状で一端開口部が呼気吹き込み部、他端開口部が機器装着部となった本体ケースと、この本体ケース内に装着されたフィルターとを備え、前記本体ケース内の呼気吹き込み部側には、吹き込み空気をこの本体ケース内に分散させる第一の分岐リブを設け、前記フィルターは、この第一の分岐リブに当接した状態で配置され、このフィルターの前記機器装着部側の本体ケース内面側には、前記フィルターの脱落防止用突起を形成し、前記本体ケースの呼気吹き込み部側には、積み重ね用突部を形成し、前記本体ケースの機器装着部側には、積み重ね用突部嵌合部を形成し、前記積み重ね用突部の外径よりも前記積み重ね用突部嵌合部の内径を大きくし、かつフィルターの外径は、本体ケースの内径よりも大きく、本体ケース内の第１の分岐リブと脱落防止用突起との間隔は、フィルターの厚みよりも大きいので、搬送性を高めることができる。
【０００９】
すなわち、本発明のマウスピースは、前記本体ケースの呼気吹き込み部側には、積み重ね用突部を形成し、前記本体ケースの機器装着部側には、積み重ね用突部嵌合部を形成し、前記積み重ね用突部の外径よりも前記積み重ね用突部嵌合部の内径を大きくしたものであるので、複数個のマウスピースを積み重ねた状態で搬送することができ、その結果として、搬送性を高めることができるのである。
【図面の簡単な説明】
【００１０】
【図１】本発明の実施の形態１に係るマウスピースを用いた呼気測定装置を示す斜視図。
【図２】図１のマウスピースの斜視図。
【図３】図１のマウスピースの斜視図。
【図４】図１のマウスピースの断面図。
【図５】図１のマウスピースの搬送状態を示す斜視図。
【図６】図１のマウスピースの搬送状態を示す断面図。
【図７】図１のマウスピースの装着状態を示す断面図。
【図８】図１の呼気測定装置の要部斜視図。
【図９】本発明の実施の形態２に係るマウスピースの搬送状態を示す斜視図。
【図１０】本発明の実施の形態３に係るマウスピースの搬送状態を示す斜視図。
【発明を実施するための形態】
【００１１】
以下に、本発明の実施の形態１におけるマウスピースおよび、それを用いた呼気測定装置を、添付図面を用いて説明する。
【００１２】
（実施の形態１）
図１において、１は呼気測定装置の呼気吹き込み体を示し、この呼気吹き込み体１は、チューブ２を介して測定装置本体３に結合されるようになっている。また、呼気吹き込み体１には、マウスピース４が装着されている。
【００１３】
このマウスピース４は、図２から図４に示すごとく、円筒状で一端開口部が呼気吹き込み部５、他端開口部が機器装着部６となった本体ケース７と、この本体ケース７内に装着された円形状のフィルター８とを備えている。
【００１４】
また、前記本体ケース７内の呼気吹き込み部５側には、吹き込み空気をこの本体ケース７内に分散させる複数の分岐リブ９を設けている。
さらに、前記フィルター８は、この複数の分岐リブ９に当接した状態で配置され、このフィルター８の前記機器装着部６側の本体ケース７内面側には、前記フィルター８の脱落防止用突起１０が、９０度の等間隔で形成されている。
【００１５】
次に、前記本体ケース７の呼気吹き込み部５側には、積み重ね用突部１１を形成し、前記本体ケース７の機器装着部６側には、積み重ね用突部嵌合部１２を形成し、前記積み重ね用突部１１の外径よりも前記積み重ね用突部嵌合部１２の内径を大きくしている。
【００１６】
このため、このマウスピース４を搬送するときには、図５、図６に示すごとく袋状の容器１３内において、複数のマウスピース４を積み重ねた状態で収納させ、この状態で搬送することができるので、極めて搬送性の高いものとなる。さらに、具体的に説明すると、図５の状態では、マウスピース４は、その呼気吹き込み部５側が、容器１３の下方側となって収納され、上段のマウスピース４の積み重ね用突部１１は、下段のマウスピース４の積み重ね用突部嵌合部１２内に突入し、嵌合した状態となっている。したがって、使用時には、容器１３の上面開口部１４から最上段のマウスピース４の本体ケース７を摘んで、この容器１３外に取り出すこととなる。
【００１７】
このとき、取り出しに際して、呼気吹き込み部５や、フィルター８に摘み出す指が触れ難いので、衛生面での効果も高いものとなる。
つまり、フィルター８の外径は、本体ケース７の内径よりも大きくしているので、呼気がフィルター８の外周を通過してしまうのを防止できるようになっているが、その分、フィルター８は、積み重ね用突部嵌合部１２側に脱落する虞れがあり、この脱落を防止するために本実施形態では、脱落防止用突起１０を設けている。
【００１８】
また、本体ケース７内の複数の分岐リブ９と、脱落防止用突起１０との間隔をフィルター８の厚みよりも大きくすることで、外径が大きなフィルター８をそれよりも内径の小さな本体ケース７内に装着し易くしている。
【００１９】
また、図６に示すごとく、容器１３内において、上下に重ねられたマウスピース４において上段のマウスピース４の呼気吹き込み部５は、下段のマウスピース４のフィルター８には、到達しない高さとしているので、フィルター８が、搬送時に破損することもない。
【００２０】
さて、このようにして、搬送されたマウスピース４は、図５の状態から１つ取り出され、次に、図７のごとく、呼気吹き込み体１の上端に装着される。すなわち、呼気吹き込み体１は、マウスピース４の機器装着部６が、嵌合されるマウスピース装着部１５と、このマウスピース装着部１５の内方において設けられた複数の分岐リブ１６と、この複数の分岐リブ１６の中心部分に設けられた呼気吹き込み孔１７とを備えている。さらに詳しくは、マウスピース装着部１５の外周部には、図７のごとく、フィルター８に突入する環状突起１８が設けられており、さらに、外周部下方には、本体ケース７の積み重ね用突部嵌合部１２内方に当接するパッキン１９が設けられている。
【００２１】
また、マウスピース装着部１５の外周部には、マウスピース４の脱落防止用突起１０が嵌合するため呼気吹き込み体１が形成されている。つまり、呼気吹き込み体１にマウスピース４を装着するときには、マウスピース４の脱落防止用突起１０が、呼気吹き込み体１の溝２０に係合した状態となる。そして、この係合が完了した状態においては、マウスピース４の複数の分岐リブ９と呼気吹き込み体１の複数の分岐リブ１６が、合致した状態となり、この結果として、マウスピース４、呼気吹き込み体１部分に、分岐された呼気吹き込み経路２１が形成されることとなっている。また、この呼気吹き込み経路２１を流れる呼気がマウスピース４外に流出するのを防止すために、上述した環状突起１８、パッキン１９を設けている。
【００２２】
（実施の形態２）
図９は、本発明の実施の形態２を示し、この実施の形態では、容器１３内にマウスピース４をその呼気吹き込み部５を上方側として、収納させる構成としている。但し、この場合には、マウスピース４を摘み出すときに、呼気吹き込み部５に指が触れることとなるので、この呼気吹き込み部５にカバー２２を装着している。
【００２３】
（実施の形態３）
図１０は、本発明の実施の形態２を示し、この実施の形態では、容器１３を横長状とし、マウスピース４を横方向に並べて収納させる構成としたものである。
【産業上の利用可能性】
【００２４】
本発明のマウスピースは、前記本体ケースの呼気吹き込み部側には、積み重ね用突部を形成し、前記本体ケースの機器装着部側には、積み重ね用突部嵌合部を形成し、前記積み重ね用突部の外径よりも前記積み重ね用突部嵌合部の内径を大きくしたものであるので、複数個のマウスピースを積み重ねた状態で搬送することができ、その結果として、搬送性を高めることができる。
【００２５】
したがって、本発明は、喘息検出、肺機能検出などを行う際に使用するマウスピースとそれを備えた呼気測定装置に活用することが期待される。
【符号の説明】
【００２６】
１  呼気吹き込み体
２  チューブ
３  測定装置本体
４  マウスピース
５  呼気吹き込み部
６  機器装着部
７  本体ケース
８  フィルター
９  分岐リブ
１０  脱落防止用突起
１１  積み重ね用突部
１２  積み重ね用突部嵌合部
１３  容器
１４  上面開口部
１５  マウスピース装着部
１６  分岐リブ
１７  呼気吹き込み孔
１８  環状突起
１９  パッキン
２０  溝
２１  呼気吹き込み経路
２２  カバー
【図１】
0005797500.tif 000002
【図２】
0005797500.tif 000003
【図３】
0005797500.tif 000004
【図４】
0005797500.tif 000005
【図５】
0005797500.tif 000006
【図６】
0005797500.tif 000007
【図７】
0005797500.tif 000008
【図８】
0005797500.tif 000009
【図９】
0005797500.tif 000010
【図１０】
0005797500.tif 000011